【手続補正書】
【提出日】平成17年4月15日(2005.4.15)
【手続補正１】
【補正対象書類名】明細書
【補正対象項目名】特許請求の範囲
【補正方法】変更
【補正の内容】
【特許請求の範囲】
【請求項１】
符号化画像データのｓｅｇｍｅｎｔａｔｉｏｎを規定する第１単位ｎ（ｎ＝１〜Ｎ）を認識する第１認識工程と、
符号化画像データのｓｅｇｍｅｎｔａｔｉｏｎを規定する第２単位ｍ（ｍ＝１〜Ｍ）を認識する第２認識工程と、
前記第１単位ｎに基づく第１パラメータＸｎ（ｎ＝１〜Ｎ）を生成する第１パラメータ生成工程と、
前記第１単位、及び前記第２単位の組合せ（ｎ，ｍ）の夫々に対応する鍵パラメータを、少なくとも前記第１パラメータに基づいて生成する鍵パラメータ生成工程とを含み、
前記鍵パラメータは前記符号化画像データにおいて前記組合せ（ｎ，ｍ）に対応する一部の符号化画像データＤ（ｎ，ｍ）の暗号又は解読に使用する鍵で、
前記第１パラメータ生成工程では、前記第１パラメータＸｎの夫々を、隣接する第１パラメータＸｎ−１に基づいて一意的に定めるアルゴリズムに基づいて生成することを特徴とする情報処理方法。
【請求項２】
前記符号化画像データが表す画像は複数のタイルで構成され、前記第１単位は各タイルに相当することを特徴とする請求項１に記載の情報処理方法。
【請求項３】
前記第２単位は、前記符号化画像データが表す画像の解像度レベルに相当することを特徴とする請求項２に記載の情報処理方法。
【請求項４】
前記第２単位は、前記符号化画像データが表す画像の画質に相当することを特徴とする請求項２に記載の情報処理方法。
【請求項５】
前記第２単位は、前記符号化画像データが表す画像のコンポーネントに相当することを特徴とする請求項２に記載の情報処理方法。
【請求項６】
前記第１単位は、前記符号化画像データが表す画像の解像度レベルに相当することを特徴とする請求項１に記載の情報処理方法。
【請求項７】
前記符号化画像データが表す画像は複数のタイルで構成され、前記第２単位は各タイルに相当することを特徴とする請求項６に記載の情報処理方法。
【請求項８】
前記符号化画像データは、離散ウェーブレット変換処理、及び算術符号化処理を用いて符号化されていることを特徴とする請求項１に記載の情報処理方法。
【請求項９】
符号化画像データのｓｅｇｍｅｎｔａｔｉｏｎを規定する第１単位ｎ（ｎ＝１〜Ｎ）を認識する第１認識手段と、
符号化画像データのｓｅｇｍｅｎｔａｔｉｏｎを規定する第２単位ｍ（ｍ＝１〜Ｍ）を認識する第２認識手段と、
前記第１単位ｎに基づく第１パラメータＸｎ（ｎ＝１〜Ｎ）を生成する第１パラメータ生成手段と、
前記第１単位、及び前記第２単位の組合せ（ｎ，ｍ）の夫々に対応する鍵パラメータを、少なくとも前記第１パラメータに基づいて生成する鍵パラメータ生成手段とを備え、
前記鍵パラメータは前記符号化画像データにおいて前記組合せ（ｎ，ｍ）に対応する一部の符号化画像データＤ（ｎ，ｍ）の暗号又は解読に使用する鍵で、
前記第１パラメータ生成手段は、前記第１パラメータＸｎの夫々を、隣接する第１パラメータＸｎ−１に基づいて一意的に定めるアルゴリズムに基づいて生成することを特徴とする情報処理装置。
【請求項１０】
コンピュータに請求項１乃至８の何れか１項に記載の情報処理方法を実行させるプログラム。
【請求項１１】
請求項１０に記載のプログラムを格納したことを特徴とする、コンピュータ読み取り可能な記憶媒体。
【手続補正２】
【補正対象書類名】明細書
【補正対象項目名】０００９
【補正方法】変更
【補正の内容】
【０００９】
【課題を解決するための手段】
本発明の目的を達成するために、例えば本発明の情報処理方法は以下の構成を備える。
【手続補正３】
【補正対象書類名】明細書
【補正対象項目名】００１０
【補正方法】変更
【補正の内容】
【００１０】
すなわち、符号化画像データのｓｅｇｍｅｎｔａｔｉｏｎを規定する第１単位ｎ（ｎ＝１〜Ｎ）を認識する第１認識工程と、
符号化画像データのｓｅｇｍｅｎｔａｔｉｏｎを規定する第２単位ｍ（ｍ＝１〜Ｍ）を認識する第２認識工程と、
前記第１単位ｎに基づく第１パラメータＸｎ（ｎ＝１〜Ｎ）を生成する第１パラメータ生成工程と、
前記第１単位、及び前記第２単位の組合せ（ｎ，ｍ）の夫々に対応する鍵パラメータを、少なくとも前記第１パラメータに基づいて生成する鍵パラメータ生成工程とを含み、
前記鍵パラメータは前記符号化画像データにおいて前記組合せ（ｎ，ｍ）に対応する一部の符号化画像データＤ（ｎ，ｍ）の暗号又は解読に使用する鍵で、
前記第１パラメータ生成工程では、前記第１パラメータＸｎの夫々を、隣接する第１パラメータＸｎ−１に基づいて一意的に定めるアルゴリズムに基づいて生成することを特徴とする。
【手続補正４】
【補正対象書類名】明細書
【補正対象項目名】００１１
【補正方法】変更
【補正の内容】
【００１１】
本発明の目的を達成するために、例えば本発明の情報処理装置は以下の構成を備える。
【手続補正５】
【補正対象書類名】明細書
【補正対象項目名】００１２
【補正方法】変更
【補正の内容】
【００１２】
すなわち、符号化画像データのｓｅｇｍｅｎｔａｔｉｏｎを規定する第１単位ｎ（ｎ＝１〜Ｎ）を認識する第１認識手段と、
符号化画像データのｓｅｇｍｅｎｔａｔｉｏｎを規定する第２単位ｍ（ｍ＝１〜Ｍ）を認識する第２認識手段と、
前記第１単位ｎに基づく第１パラメータＸｎ（ｎ＝１〜Ｎ）を生成する第１パラメータ生成手段と、
前記第１単位、及び前記第２単位の組合せ（ｎ，ｍ）の夫々に対応する鍵パラメータを、少なくとも前記第１パラメータに基づいて生成する鍵パラメータ生成手段とを備え、
前記鍵パラメータは前記符号化画像データにおいて前記組合せ（ｎ，ｍ）に対応する一部の符号化画像データＤ（ｎ，ｍ）の暗号又は解読に使用する鍵で、
前記第１パラメータ生成手段は、前記第１パラメータＸｎの夫々を、隣接する第１パラメータＸｎ−１に基づいて一意的に定めるアルゴリズムに基づいて生成することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】